(57)【要約】【課題】  筐体または扉に対するヒンジ装置の取付位置を調節できるだけでなく、その調節時に、ヒンジ装置がカバー部材と干渉することがなく、しかもヒンジ装置の取付部分の体裁をよくした扉の取付構造を提供する。【解決手段】  前面が開口する筐体１における側板２の内面に、固定片７に対して可動片８が枢軸９まわりに回動可能としたヒンジ装置６における固定片７を固定し、かつ筐体１の開口の前面を閉塞する扉５の裏面に、ヒンジ装置６における可動片８を固定することにより、扉５を開閉自在に筐体１に取付けた扉５の取付構造において、可動片８と扉５との間に、可動片８の取付位置を上下方向と水平方向とに調節する取付位置調節手段３２を設け、かつ可動片８を覆うカバー部材３３を、可動片８とともに上下方向に位置調節される中間板３９に取り付ける。【選択図】        図４
2008121312.tif 000002
【特許請求の範囲】
【請求項１】
前面が開口する筐体における側板の内面に、固定片に対して可動片が枢軸まわりに回動可能としたヒンジ装置における前記固定片を固定し、かつ前記筐体の開口の前面を閉塞する扉の裏面に、前記ヒンジ装置における可動片を固定することにより、前記扉を開閉自在に筐体に取付けた扉の取付構造において、
前記固定片と側板との間、または可動片と扉との間に、固定片または可動片の取付位置を、上下方向と水平方向とに調節する取付位置調節手段を設け、かつ、前記固定片または可動片を覆うカバー部材を、前記取付位置調節手段における、固定片または可動片とともに上下方向に位置調節される部材に取り付けたことを特徴とする扉の取付構造。
【請求項２】
取付位置調節手段が、側板または扉に固着される取付板と、この取付板に対して、中間板を上下方向に位置調節する上下位置調節手段と、前記中間板に対して、固定片または可動片を水平方向に位置調節する水平位置調節手段とを備え、固定片または可動片を覆うカバー部材を、前記中間板に取り付けた請求項１記載の扉の取付構造。
【請求項３】
筐体における側板の内面と前面との角部、または扉の閉止時の後面と外側面との角部に、ヒンジ装置嵌合用の切欠きを設け、この切欠きに、固定片または可動片を覆うカバー部材の嵌合部を嵌合し、この嵌合部の上下寸法を前記切欠きの上下寸法より小とし、かつ前記カバー部材における、嵌合部の上下面から突出して形成された、切欠きの縁部を覆う化粧縁部の上下寸法を、前記切欠きの上下寸法より大とした請求項１または２記載の扉の取付構造。
【請求項４】
固定片または可動片を覆うカバー部材が、筐体における側板または扉に設けられた切欠きに嵌合されるとともに、固定片または可動片とともに上下方向に位置調節される部材に取り付けられたベースカバーと、このベースカバーに着脱可能として装着され、かつヒンジ装置の露呈部を覆う表面カバーとを備えている請求項３記載の扉の取付構造。
【請求項５】
固定片または可動片を覆うカバー部材と、固定片または可動片とともに上下方向に位置調節される部材とのいずれか一方に、他方に設けた被係合部に弾性係合するようにした係止爪を設けた請求項１〜４のいずれかに記載の扉の取付構造。
【請求項６】
ヒンジ装置を、扉の開閉動作に連動して、可動片の回動中心である枢軸が、固定片に対して、前後方向に移動するように、前記固定片と可動片とを、リンク機構をもって互いに連係した枢軸移動型のものとした請求項１〜５のいずれかに記載の扉の取付構造。
【発明の詳細な説明】
【技術分野】
【０００１】
本発明は、キャビネット等の家具の筐体の前面開口部に、扉を開閉自在に取付ける扉の取付構造に関する。
【背景技術】
【０００２】
筐体の前面開口部に、扉を開閉自在に取付けるヒンジ装置として、扉がその開閉動作に連動して、回動中心が前後方向に移動し、扉を１８０°まで開いたとき、扉全体が隣接する扉の前方に位置しうるようにしたヒンジ装置が提供されている（例えば特許文献１〜３参照）。
このヒンジ装置は、扉の開閉動作に連動して、扉側に固定された可動片の回動中心である枢軸が、筐体側に固定された固定片に対して、前後方向に移動するように、固定片と可動片とが、リンク機構をもって互いに連係されている。
【特許文献１】特開２００５−２８２２５３号公報
【特許文献２】特開平８−１９３４５５号公報
【特許文献３】実公平７−６０５号公報
【発明の開示】
【発明が解決しようとする課題】
【０００３】
しかし、上述のような枢軸移動型のヒンジ装置は、可動片が、中間リンクと複数の枢軸をもって、固定片に枢着されているため、各枢軸部分で生じる誤差が重なって、扉を設定通りの位置に取り付けることができないことがある。
【０００４】
そのため、固定片と筐体の側板との間、または可動片と扉との間に、固定片または可動片の取付位置を、上下方向と水平方向とに調節する取付位置調節手段を設けることが考えられているが、このような取付位置調節手段を取り付けると、その調節時に、ヒンジ装置が、それを覆うカバー部材と干渉したり、その干渉を避けるため、カバー部材の寸法を大とすると、体裁が悪くなる等の問題が生じる。
【０００５】
本発明は、従来の技術が有する上記のような問題点に鑑み、筐体または扉に対するヒンジ装置の取付位置を調節できるだけでなく、その調節時に、ヒンジ装置がカバー部材と干渉することがなく、しかもヒンジ装置の取付部分の体裁をよくした扉の取付構造を提供することを目的としている。
【課題を解決するための手段】
【０００６】
本発明によると、上記課題は次のようにして解決される。
(１)  前面が開口する筐体における側板の内面に、固定片に対して可動片が枢軸まわりに回動可能としたヒンジ装置における前記固定片を固定し、かつ前記筐体の開口の前面を閉塞する扉の裏面に、前記ヒンジ装置における可動片を固定することにより、前記扉を開閉自在に筐体に取付けた扉の取付構造において、前記固定片と側板との間、または可動片と扉との間に、固定片または可動片の取付位置を、上下方向と水平方向とに調節する取付位置調節手段を設け、かつ、前記固定片または可動片を覆うカバー部材を、前記取付位置調節手段における、固定片または可動片とともに上下方向に位置調節される部材に取り付ける。
【０００７】
(２)  上記(１)項において、取付位置調節手段が、側板または扉に固着される取付板と、この取付板に対して、中間板を上下方向に位置調節する上下位置調節手段と、前記中間板に対して、固定片または可動片を水平方向に位置調節する水平位置調節手段とを備え、固定片または可動片を覆うカバー部材を、前記中間板に取り付ける。
【０００８】
(３)  上記(１)または(２)項において、筐体における側板の内面と前面との角部、または扉の閉止時の後面と外側面との角部に、ヒンジ装置嵌合用の切欠きを設け、この切欠きに、固定片または可動片を覆うカバー部材の嵌合部を嵌合し、この嵌合部の上下寸法を前記切欠きの上下寸法より小とし、かつ前記カバー部材における、嵌合部の上下面から突出して形成された、切欠きの縁部を覆う化粧縁部の上下寸法を、前記切欠きの上下寸法より大とする。
【０００９】
(４)  上記(３)項において、固定片または可動片を覆うカバー部材が、筐体における側板または扉に設けられた切欠きに嵌合されるとともに、固定片または可動片とともに上下方向に位置調節される部材に取り付けられたベースカバーと、このベースカバーに着脱可能として装着され、かつヒンジ装置の露呈部を覆う表面カバーとを備えるものとする。
【００１０】
(５)  上記(１)〜(４)項のいずれかにおいて、固定片または可動片を覆うカバー部材と、固定片または可動片とともに上下方向に位置調節される部材とのいずれか一方に、他方に設けた被係合部に弾性係合するようにした係止爪を設ける。
【００１１】
(６)  上記(１)〜(５)項のいずれかにおいて、ヒンジ装置を、扉の開閉動作に連動して、可動片の回動中心である枢軸が、固定片に対して、前後方向に移動するように、前記固定片と可動片とを、リンク機構をもって互いに連係した枢軸移動型のものとする。
【発明の効果】
【００１２】
本発明によると、次のような効果を奏することができる。
(１)  請求項１記載の発明によると、筐体または扉に対するヒンジ装置の取付位置を調節できるだけでなく、その調節時に、固定片または可動片を覆うカバー部材が、ヒンジ装置とともに上下方向に移動するので、ヒンジ装置がカバー部材と干渉することがなく、しかもカバー部材の寸法を大とする必要がないので、体裁がよい。
【００１３】
(２)  請求項２記載の発明によると、カバー部材を、取付位置調節手段における上下方向に位置調節される中間板に取り付けてあるので、カバー部材が、中間板と一体となって上下動し、ヒンジ装置と干渉することがなく、しかも、最小の寸法でヒンジ装置を体裁よく覆うことができる。
【００１４】
(３)  請求項３記載の発明によると、カバー部材の嵌合部の上下寸法を、筐体における側板または扉に設けたヒンジ装置嵌合用の切欠きの上下寸法より小としてあるので、カバー部材は、上記切欠きに干渉することなく、ヒンジ装置とともに上下動することができ、しかも、カバー部材における切欠きの縁部を覆う化粧縁部の上下寸法を、切欠きの上下寸法より大としてあるので、切欠きとカバー部材の嵌合部との間に形成される隙間が、化粧縁部によって覆われ、外部に露呈することがなく、筐体内への塵埃の侵入を防止することができるとともに、体裁をよくすることができる。
【００１５】
(４)  請求項４記載の発明によると、ベースカバーを、固定片または可動片とともに上下方向に位置調節される部材に取り付けた状態で、筐体または扉に対するヒンジ装置の取付位置を調節し、その後に、表面カバーをベースカバーに装着すればよいので、ベースカバーおよびヒンジ装置の組み付け作業性を向上することができる。
【００１６】
(５)  請求項５記載の発明によると、カバー部材を、固定片または可動片とともに上下方向に位置調節される部材に、簡単かつ迅速に取り付けることができる。
【００１７】
(６)  請求項６記載の発明によると、扉を、その回動中心を前方に移動させつつほぼ１８０°開いて、隣接する筐体の扉の前方に位置させることができる。
また、ヒンジ装置を、このようなリンク機構と複数の枢軸とを有する枢軸移動型のものとしたときに、上述したような本発明の効果を最も発揮することができる。
【発明を実施するための最良の形態】
【００１８】
以下、本発明の一実施形態を、添付図面を参照して説明する。
図１〜図８は、本発明の一実施形態を備えるキャビネットを示す。
図１に示すように、このキャビネットは、前面が開口する筐体１の前面に、その両側板２、２、上面板３および底板４(図３参照)の前端面全体を覆う扉５が、図２以後に示す上下１対のヒンジ装置６、６をもって、図１に実線で示す閉止位置から、同じく想像線で示すように、扉５のほぼ板厚分だけ前方に移動した状態で、閉止時の扉５のほぼ前右隅部を中心として１８０°右方に回転した全開位置とに移動可能として、いわゆるアウトセット方式で装着されている。
【００１９】
図２以降に示すように、各ヒンジ装置６は、筐体１の側板２の内面に固定される固定片７に対して、扉５の内面に固定される可動片８の回動中心である上下方向を向く枢軸９が、扉５の開閉動作に連動して、ほぼ前後方向に移動するように、固定片７と可動片８とが、リンク機構１０をもって互いに連係された、上述したのと同様の枢軸移動型のものとしてある。
なお、ヒンジ装置６の構成自体は、本発明には直接関係するものではなく、例えば上記特許文献１または２に記載されているものと同一の構成としてもよい。
【００２０】
この例では、リンク機構１０は、側板２の内面に取付けたときの固定片７の前端部に、軸１１をもって基端部が枢着された第１リンク１２と、可動片８の中間部に軸１３をもって基端部が枢着され、かつ先端部が第１リンク１２の先端部と軸１４をもって連結された第２リンク１５と、中間部が第１リンク１２の中間部に軸１６をもって枢着され、一端が可動片８の遊端部に上記枢軸９をもって連結され、かつ他端に設けた軸１７の上下の端部が、固定片７の上下の端部に折曲形成された水平片７ａ、７ａに設けられたほぼ前後方向を向く平面視円弧状の長孔１８に摺動自在に嵌合された第３リンク１９とからなっており、枢軸９および軸１３、１４、１６の相互間を連結する可動片８の一部と、第１リンク１２の一部と、第２リンク１５と、第３リンク１９の一部とにより、４節回転連鎖２０が形成されている。
【００２１】
軸１１、１３、１４、１６、１７は、いずれも枢軸９と平行、すなわち上下方向を向くものとしてある。
【００２２】
図４に示すように、側板２の上下２箇所(図４はその下方のもののみを示す)における内面と前端面とにかけて、上記固定片７を収容するための方形の切り欠き２１が設けられている。
切り欠き２１には、その開口縁部を覆う筐体側ヒンジカバー２２とヒンジ装置６における固定片７とが、互いに結合された状態で嵌合され、かつ固定片７における切り欠き２１より後方に差し込まれた部分が、側板２の内面板２ａに、２本のねじ２３、２３をもって止着されることにより、筐体側ヒンジカバー２２が切り欠き２１の縁部に密接し、かつ固定片７の前端部が側板２の前端面より若干前方に突出するようにして強固に取付けられている。
【００２３】
筐体側ヒンジカバー２２は、側板２の前端面における切り欠き２１の縁部を覆う前面化粧縁部２４と、側板２の内側面における切り欠き２１の縁部を覆う側面化粧縁部２５と、正面視コ字状をなして前面化粧縁部２４より前方に突出し、かつ固定片７の前方突出部の外側面を覆う塞ぎ片２６と、同じく正面視コ字状をなして前面化粧縁部２４より後方に突出する嵌合部２７とを有している。
【００２４】
塞ぎ片２６の内側面には、固定片７に設けられた上下方向を向く軸１１の中間部を弾圧把持する前後１対の円弧状の把持片２８、２９が一体的に形成されている。この例では、塞ぎ片２６の内側面における上下方向の中央部に、後方の１個の把持片２９を配設し、その前方に、上下２個の把持片２８、２８を、把持片２９の上下幅だけ互いに上下に離間させて配設してある。
【００２５】
また、嵌合部２７の内側面には、上下方向を向く内向き突条３０が設けられており、この内向き突条３０を、固定片７の上下の水平片７ａ、７ａの縁に設けた切り欠き３１に係合することにより、筐体側ヒンジカバー２２と固定片７との位置決めおよび連結が図られている。
【００２６】
この例では、軸１１を弾圧把持する前後１対の円弧状の把持片２８、２９と、切り欠き３１に係合する内向き突条３０とが、それぞれヒンジ装置６における固定片７と係合する位置決めおよび連結用の係合部をなしている。
【００２７】
図４に示すように、側板２における上下１対の切り欠き２１、２１に対応する扉５における側枠部５ａの側端面と裏面とにかけて、ヒンジ装置６における可動片８と、この可動片８を、扉５の裏面に、上下方向と水平方向(閉扉時における扉５の左右方向)とに取付位置調節可能として取り付ける取付位置調節手段３２と、閉扉時における側板２の前端面より前方に突出する固定片７の前端部と、それらを覆う扉側ヒンジカバー(カバー部材)３３とを収容するための方形の切り欠き３４が設けられている。
【００２８】
また、扉５の裏面における側枠部５ａより若干内方寄りの部分に設けられた角管状の縦補強部５ｂの側枠部５ａ寄りの側面と裏面にかけて、切り欠き３４に対応する小寸の方形の切欠き３５が設けられている。
縦補強部５ｂの裏面における上記切欠き３５を挟む上下位置には、１対のねじ孔３６、３６と逃がし孔３７、３７とが、ねじ孔３６、３６を内側として設けられている。
【００２９】
図５〜図８に示すように、取付位置調節手段３２は、扉５の裏面に固着される取付板３８と、この取付板３８に対して、中間板３９を上下方向に位置調節する上下位置調節手段４０と、中間板３９に対して、可動片８を水平方向に位置調節する水平位置調節手段４１とを備えている。
【００３０】
取付板３８には、その内方寄りの端部から外方寄りの端部にかけて、それぞれ上下１対ずつのねじ挿通孔４２、４２、ねじ孔４３、４３、上下方向を向く長孔４４、４４、および中間板３９側への折り曲げ片４５、４５が設けられている。
【００３１】
中間板３９の内方寄りの端部には、上下方向を向く上下１対の長孔４６、４６が、中間板３９の外方寄りの端部には、上下１対のねじ孔４７、４７が、また中間板３９の中央部には、取付板３８側に向かって平面視Ｌ字状に折曲された切り起し片４８が、さらに、中間板３９の外方寄りの端部の上下の縁には、可動片８側に直角に折曲形成された折曲片４９、４９が、それぞれ設けられており、各折曲片４９、４９には、左右方向を向く長孔５０が設けられている。
【００３２】
可動片８の左右方向の中間部には、上下方向に突出する取付片５１、５１が設けられており、各取付片５１には、左右方向を向く長孔５２が設けられている。
【００３３】
取付板３８は、その各ねじ挿通孔４２に挿通した上下１対の固定ねじ５３、５３を、扉５の縦補強部５ｂに設けた上下１対のねじ孔３６、３６に螺合して締め付けるとともに、中間板３９の切り起し片４８を、取付板３８を挟んで、縦補強部５ｂに設けた切欠き３５の内側の縁に係止させることにより、扉５に強固に固着されている。
【００３４】
中間板３９は、その外側縁を取付板３８の上下の折り曲げ片４５、４５に当接させて、各長孔４６に挿通した上下１対の調節ねじ５４、５４を、取付板３８のねじ孔４３、４３に螺合して締め付けることにより、取付板３８に強固に固着されるとともに、調節ねじ５４、５４を緩めて、調節ねじ５４、５４が各長孔４６内を遊動しうる範囲において上下動させて、再度調節ねじ５４、５４を締め付けることにより、上下方向の取付位置を調節しうるようになっている。
この調節ねじ５４、５４と、ねじ孔４３、４３と、長孔４６、４６とにより、上下位置調節手段４０が形成されている。
【００３５】
可動片８は、その上下の取付片５１、５１が、中間板３９の上下の折曲片４９、４９により上下から挟まれるようにして、各長孔５２に挿通した上下１対の調節ねじ５５、５５を、中間板３９のねじ孔４７、４７に螺合して締め付けることにより、中間板３９を介して、取付板３８に強固に固着されるとともに、調節ねじ５５、５５を緩めて、調節ねじ５５、５５が各長孔５２内を遊動しうる範囲において左右方向に移動させて、再度調節ねじ５５、５５を締め付けることにより、左右方向の取付位置を調節しうるようになっている。
この調節ねじ５５、５５と、ねじ孔４７、４７と、長孔５２、５２とにより、水平位置調節手段４１が形成されている。
【００３６】
扉側ヒンジカバー３３は、扉５の切欠き３４に嵌合されるとともに、可動片８とともに上下方向に位置調節される中間板３９に取り付けられたベースカバー５６と、このベースカバー５６に着脱可能として装着され、かつ可動片８の露呈部を覆う表面カバー５７とを備えている。
【００３７】
ベースカバー５６は、扉５の切り欠き３４に嵌合される嵌合部５８と、この嵌合部５８の上下面および側面から突出して形成され、切り欠き３４における扉５の側端面の開口縁を覆うとともに、扉５の閉止時に上記塞ぎ片２６が嵌合することにより、上記開口縁が閉塞されるようにした側面化粧縁部５９と、嵌合部５８の上下面から突出して形成され、側枠部５ａの裏面における切り欠き３４の開口縁を覆う裏面化粧縁部６０と、この裏面化粧縁部６０に連設され、可動片８および取付位置調節手段３２の上下と内端とを覆う枠部６１とを備えている。
嵌合部の上下面から突出して形成された、
【００３８】
ベースカバー５６は、嵌合部５８が可動片８の前面に当接し、かつ枠部６１が可動片８の上下と内端とを覆うようにして、枠部６１の上下部に設けた弾性撓曲可能とした係止爪６２を、中間板３９の上下の折曲片４９に設けた被係合部をなす長孔５０に弾性係合させることにより、中間板３９とともに上下動するようにして、取付位置調節手段３２に装着され、かつ取付位置調節手段３２および可動片８とともに、嵌合部５８が扉５の切り欠き３４に嵌合されている。
【００３９】
ベースカバー５６の嵌合部５８の上下寸法は、切欠き３４の上下寸法より小とし、かつベースカバー５６における、切欠き３４の縁部を覆う化粧縁部５９、６０の上下寸法を、切欠き３４の上下寸法より大としてあるので、ベースカバー５６は、切欠き３４に干渉することなく、可動片８とともに上下動することができ、しかも、切欠き３４と嵌合部５８との間に形成される隙間Ｓが、化粧縁部５９、６０によって覆われ、外部に露呈することがないので、筐体１内への塵埃の侵入を防止することができるとともに、体裁をよくすることができる。
【００４０】
表面カバー５７は、左右方向を向く薄板状の上覆い部５７ａと下覆い部５７ｂとの内方の端部同士を、側面視コ字状をなす中間覆い部５７ｃにより連結したものよりなり、上覆い部５７ａと下覆い部５７ｂとの外方の端部に設けた突起６３、６３を、ベースカバー５６における枠部６１と裏面化粧縁部６０との連設部分の段差部に設けた凹部(図示略)に係止し、かつ上覆い部５７ａと下覆い部５７ｂとの内方の端部寄りに設けた上下１対の弾性撓曲可能な係止爪６４を、ベースカバー５６における枠部６１の上下部内面に設けた、被係合部である凹部６５に弾性係合させることにより、ベースカバー５６に着脱可能として装着され、上覆い部５７ａと下覆い部５７ｂとにより、取付位置調節手段３２における上下の調節ねじ５４、５５の部分を覆い、中間覆い部５７ｃにより、可動片８の先端部を覆うようにしてある。
【００４１】
したがって、表面カバー５７をベースカバー５６から外すだけで、取付位置調節手段３２における上下の調節ねじ５４、５５を操作して、扉５に対する可動片８の取付位置を簡単に調節することができるとともに、調節終了後に、表面カバー５７をベースカバー５６に装着することにより、体裁をよくすることができる。
【００４２】
上記のようにして扉５を筐体１の前面開口部に装着されたキャビネットは、閉扉時には、図１および図２に示すように、扉５の側端面に開口する切り欠き３４が扉側ヒンジカバー３３の側面化粧縁部５９と筐体側ヒンジカバー２２の塞ぎ片２６とにより閉塞され、その内部のヒンジ装置６が外部に露呈することはなく、体裁がよい。
【００４３】
この状態から扉５を開くと、ヒンジ装置６における軸１７が長孔１８に沿って前方に摺動するとともに、４節回転連鎖２０が菱形に開きつつ、枢軸９が前方に移動し、かつ可動片８が扉５とともに枢軸９を中心として、前右方に回動する。
扉５を閉止位置からほぼ１８０°右方に回動させると、その間に枢軸９が前方に移動して、図３に示すように、扉５は、同一構造として横並びに配設した隣接するキャビネットの閉止時の扉５'の前方においてその扉５'に近接して平行をなす全開位置に達する。
【００４４】
この扉５の閉止位置から全開位置までの回動途中で、ヒンジ装置６の特にリンク機構１０が、開いた、または開きつつある扉５の内側に露呈するが、ヒンジ装置６の固定片７および可動片８が、側板２および扉５の内面に設けられた切り欠き２１、３４内に収容され、かつ筐体側ヒンジカバー２２および扉側ヒンジカバー３３により覆われているので、美観を保つことができる。
【００４５】
扉５を、全開位置から元の閉止位置まで回動させたときは、上記と逆の作動で図２に示す状態に戻る。この開、閉いずれの場合も、扉５およびヒンジ装置６が、隣接する扉５'に干渉することはない。
【産業上の利用可能性】
【００４６】
本発明は、上述のようなキャビネットだけでなく、例えばロッカー、収納庫、机、その他の家具における扉の取付部分に広く適用することができる。
また、上記の実施形態においては、扉とヒンジ装置の可動片との間に、取付位置調節手段とカバー部材とを設けたが、筐体の側板とヒンジ装置の固定片との間に、取付位置調節手段とカバー部材とを設けて実施することもできる。
【図面の簡単な説明】
【００４７】
【図１】本発明の一実施形態を備えるキャビネットの外観斜視図である。
【図２】図１のII−II線に沿う拡大横断平面図である。
【図３】扉を全開位置まで開いたときの図２と同様の拡大横断平面図である。
【図４】ヒンジ部分の拡大分解斜視図である。
【図５】取付位置調節手段の分解斜視図である。
【図６】図３のVI−VI線矢視図である。
【図７】図６のVII−VII線に沿う横断平面図である。
【図８】図６のVIII−VIII線に沿う縦断側面図である。
【符号の説明】
【００４８】
１  筐体
２  側板
２ａ内面板
３  上面板
４  底板
５  扉
５ａ側枠部
５ｂ縦補強部
６  ヒンジ装置
７  固定片
７ａ水平片
８  可動片
９  枢軸
１０  リンク機構
１１  軸
１２  第１リンク
１３、１４  軸
１５  第２リンク
１６、１７  軸
１８  長孔
１９  第３リンク
２０  ４節回転連鎖
２１  切り欠き
２２  筐体側ヒンジカバー
２３  ねじ
２４  前面化粧縁部
２５  側面化粧縁部
２６  塞ぎ材
２７  嵌合部
２８、２９  把持片係合部
３０  内向き突条係合部
３１  切り欠き
３２  取付位置調節手段
３３  扉側ヒンジカバー(カバー部材)
３４、３５  切欠き
３６  ねじ孔
３７  逃がし孔
３９  中間板
４０  上下位置調節手段
４１  水平位置調節手段
４２  ねじ挿通孔
４３  ねじ孔
４４  長孔
４５  折り曲げ片
４６  長孔
４７  ねじ孔
４８  切り起し片
４９  折曲片
５０  長孔(被係合部)
５１  取付片
５２  長孔
５３  固定ねじ
５４、５５  調節ねじ
５６  ベースカバー
５７  表面カバー
５７ａ上覆い部
５７ｂ下覆い部
５７ｃ中間覆い部
５８  嵌合部
５９  側面化粧縁部
６０  裏面化粧縁部
６１  枠部
６２  係止爪
６３  突起
６４  係止爪
６５  凹部(被係合部)
Ｓ  隙間
【図１】
2008121312.tif 000003
【図２】
2008121312.tif 000004
【図３】
2008121312.tif 000005
【図４】
2008121312.tif 000006
【図５】
2008121312.tif 000007
【図６】
2008121312.tif 000008
【図７】
2008121312.tif 000009
【図８】
2008121312.tif 000010